(57)【要約】【課題】  本発明は塗布軸の先端部の塗布面に十分な液状化粧料を保持できるようにして、使用時に液状化粧料を突出させる操作回数を少なくして、楽に使用することができるとともに、突出させた液状化粧料が塗布面より脱落するのを効率よく防止することができる液状化粧料収納容器を得るにある。【解決手段】  塗布面が形成された先端部へ、容器本体の収納室内の液状化粧料を導く液状化粧料供給孔が形成された塗布軸を備える液状化粧料収納容器において、前記塗布軸の先端部の塗布面に液状化粧料を保持する凹部を形成して液状化粧料収納容器を構成している。【選択図】  図１
2008154657.tif 000002
【特許請求の範囲】
【請求項１】
塗布面が形成された先端部へ、容器本体の収納室内の液状化粧料を導く液状化粧料供給孔が形成された塗布軸を備える液状化粧料収納容器において、前記塗布軸の先端部の塗布面に液状化粧料を保持する凹部を形成したことを特徴とする液状化粧料収納容器。
【請求項２】
塗布面が形成された先端部へ押し出し、引き戻し機構を備えた容器本体の収納室内の液状化粧料を導く液状化粧料供給孔が形成された塗布軸を備える液状化粧料収納容器において、前記塗布軸の先端部の塗布面に液状化粧料を保持する凹部を形成したことを特徴とする液状化粧料収納容器。
【請求項３】
塗布面が形成された先端部へ、容器本体の収納室内の液状化粧料を導く液状化粧料供給孔が形成された塗布軸を備える液状化粧料収納容器において、前記塗布軸の先端部の液状化粧料供給孔の周縁部に液状化粧料を保持する材質で形成された保持部を設けたことを特徴とする液状化粧料収納容器。
【発明の詳細な説明】
【技術分野】
【０００１】
本発明は液状化粧料を収納する液状化粧料収納容器に関する。
【背景技術】
【０００２】
従来、この種の液状化粧料収納容器は塗布面が形成された先端部へ、容器本体の収納室内の液状化粧料を導く液状化粧料供給孔が形成された塗布軸を使用している。
【０００３】
このため、使用に際しては塗布軸の塗布面に開口された液状化粧料供給孔より液状化粧料を突出させて使用しているため、液状化粧料は十分な量の液状化粧料を突出させての使用ができず、突出させる操作を複数回行なわなければならず、面倒で、使用しずらいという欠点があった。
【特許文献１】特公平６−３９８２７
【発明の開示】
【発明が解決しようとする課題】
【０００４】
本発明は以上のような従来の欠点に鑑み、塗布軸の先端部の塗布面に十分な液状化粧料を保持できるようにして、使用時に液状化粧料を突出させる操作回数を少なくして、楽に使用することができるとともに、突出させた液状化粧料が塗布面より脱落するのを効率よく防止することができる液状化粧料収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は塗布面が形成された先端部へ、容器本体の収納室内の液状化粧料を導く液状化粧料供給孔が形成された塗布軸を備える液状化粧料収納容器において、前記塗布軸の先端部の塗布面に液状化粧料を保持する凹部を形成して液状化粧料収納容器を構成している。
【０００７】
本発明は塗布面が形成された先端部へ、容器本体の収納室内の液状化粧料を導く液状化粧料供給孔が形成された塗布軸を備える液状化粧料収納容器において、前記塗布軸の先端部の液状化粧料供給孔の周縁部に液状化粧料を保持する材質で形成された保持部を設けて液状化粧料収納容器を構成している。
【発明の効果】
【０００８】
以上の説明から明らかなように、本発明にあっては次に列挙する効果が得られる。
【０００９】
（１）塗布面が形成された先端部へ、容器本体の収納室内の液状化粧料を導く液状化粧料供給孔が形成された塗布軸を備える液状化粧料収納容器において、前記塗布軸の先端部の塗布面に液状化粧料を保持する凹部を形成したので、塗布軸の先端部の塗布面に形成した液状化粧料を保持する凹部に液状化粧料を保持させることができる。
したがって、従来のように塗布面に突出させた液状化粧料がメカで引き出された時に、液状化粧料供給孔へ戻って、化粧に使用する液状化粧料が十分に確保できなくなる等の不具合を確実に防止することができる。
【００１０】
（２）前記（１）によって、塗布面に液状化粧料を保持する凹部を形成するだけでよいので、容易に実施することができる。
【００１１】
（３）請求項2も前記（１）、（２）と同様な効果が得られる。
【００１２】
（４）請求項３も前記（１）、（２）と同様な効果が得られる。
【発明を実施するための最良の形態】
【００１３】
以下、図面に示す本発明を実施するための最良の形態により、本発明を詳細に説明する。
【００１４】
図１ないし図６に示す本発明を実施するための最良の第１の形態において、１は本発明の液状化粧料収納容器で、この液状化粧料収納容器１は液状化粧料の押し出し、引き戻し機構２を備える容器３と、この容器３の押し出し、引き戻し機構２により先端部の塗布面４に液状化粧料を導くことができる塗布軸５と、この塗布軸５を覆う前記容器本体３に着脱可能に取付けられるキャップ６とで構成されている。
【００１５】
前記容器本体３は液状化粧料を収納する収納室７が形成された筒体８と、この筒体８内の液状化粧料の押し出し、引き戻し機構２とからなり、該押し出し、引き戻し機構２は前記筒体８の後端部に回転可能に取付けられた後端部閉塞の回転筒９と、この回転筒９内に固定された該回転筒９の開口端より外方に突出した部位にねじ孔１０が形成されたねじ筒１１と、このねじ筒１１のねじ孔１０と螺合されるねじ棒１２と、このねじ棒１２の先端部に取付けられた前記収納室７内の液状化粧料を押し出すピストン１３と、前記収納室７の後端部寄りの部位の前記筒体８の内壁面より内側へ突出し、前記ねじ棒１２を回転しないように嵌合固定する回り止め隔壁１４とで構成されている。
【００１６】
前記塗布軸５は前記容器本体３の筒体８の先端部に嵌合固定された先端部の塗布面４が傾斜面に形成された塗布軸本体１５と、この塗布軸本体１５の中央部に形成された前記収納室７内の液状化粧料を前記塗布面４へ導く小径の液状化粧料供給孔１６と、前記塗布軸本体１５の塗布面４の液状化粧料供給孔１６の外周部位に形成された液状化粧料を保持するリング状の凹部１７とで構成されている。
【００１７】
上記構成の液状化粧料収納容器１は、容器本体３の筒体８を持って回転筒９を回転させると、ねじ筒１１が一体となって回転するため、ねじ棒１２が上下方向に移動する。
このため、使用時にはピストン１３で液状化粧料を塗布軸５の塗布面４へ押し出すように回転筒９を回転し、液状化粧料供給孔１６より塗布面４へ押し出された液状化粧料がリング状の凹部１７に入り込むように押し出した後、回転筒９を逆方向に回転すると、液状化粧料供給孔１６の塗布面４部位の液状化粧料は引き戻されても、リング状の凹部１７に液状化粧料が残り、使用することができる。
なお、液状化粧料を塗布面４へ最適量突出させながら使用できるのは勿論、出しすぎた場合でも前述のように戻すことにより、塗布面４に最適量の液状化粧料を突出させた状態と同様にして使用することができる。
[発明を実施するための異なる形態]
【００１８】
次に、図７ないし図２２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図７ないし図９に示す本発明を実施するための第２の形態において、前記本発明を実施するための最良の第１の形態と主に異なる点は、弧状のやや窪み１８を形成した塗布面４Ａにした塗布軸５Ａを用いた点で、このような塗布軸５Ａを用いて構成した液状化粧料収納容器１Ａにしても、前記本発明を実施するための最良の第１の形態と同様な作用効果が得られる。
【００２０】
図１０および図１１に示す本発明を実施するための第３の形態において、前記本発明を実施するための最良の第１の形態と主に異なる点は、先端部１９をスポンジやシリコンゴム等の軟質材で形成した塗布軸５Ｂを用いた点で、このように形成された塗布軸５Ｂを用いて構成した液状化粧料収納容器１Ｂにしても、前記本発明を実施するための最良の第１の形態と同様な作用効果が得られる。
【００２１】
図１２ないし図１４に示す本発明を実施するための第４の形態において、前記本発明を実施するための最良の第１の形態と主に異なる点は、液状化粧料供給孔１６よりリング状の凹部１７へスムーズに液状化粧料を導くことができる複数個の連通溝２０、２０、２０を形成した塗布軸５Ｃを用いた点で、このような塗布軸５Ｃを用いて構成した液状化粧料収納容器１Ｃにしても、前記本発明を実施するための最良の第１の形態と同様な作用効果が得られる。
【００２２】
図１５および図１６に示す本発明を実施するための第５の形態において、前記本発明を実施するための最良の第１の形態と主に異なる点は、複数個の半円弧状の凹部１７Ａを塗布面４に形成した塗布軸５Ｄを用いた点で、このような塗布軸５Ｄを用いて構成した液状化粧料収納容器１Ｄにしても、前記本発明を実施するための最良の第１の形態と同様な作用効果が得られる。
【００２３】
図１７および図１８に示す本発明を実施するための第６の形態において、前記本発明を実施するための最良の第１の形態と主に異なる点は、３個の弧状の凹部１７Ｂ、１７Ｂ、１７Ｂを塗布面４に形成した塗布軸５Ｅを用いた点で、このような塗布軸５Ｅを用いて構成した液状化粧料収納容器１Ｅにしても、前記本発明を実施するための最良の第１の形態と同様な作用効果が得られる。
【００２４】
図１９および図２０に示す本発明を実施するための第７の形態において、前記本発明を実施するための最良の第１の形態と主に異なる点は、先端部の液状化粧料供給孔１６の外周縁部に液状化粧料を含ませたり、保持するスポンジ、布、多孔質材で形成されたリング状の保持部２１を設けた塗布軸５Ｆを用いた点で、このような塗布軸５Ｆを用いて構成した液状化粧料収納容器１Ｆにしても、前記本発明を実施するための最良の第１の形態と同様な作用効果が得られる。
【００２５】
図２１および図２２に示す本発明を実施するための第８の形態において、前記本発明を実施するための第５の形態と主に異なる点は、先端部の複数個の半円弧状の凹部１７Ａの外周縁部に液状化粧料を含ませたり、保持するスポンジ、布、多孔質材で形成されたリング状の保持部２１を設けた塗布軸５Ｇを用いた点で、このような塗布軸５Ｇを用いて構成した液状化粧料収納容器１Ｇにしても、前記本発明を実施するための第５の形態と同様な作用効果が得られる。
本発明の実施の形態ではリング状の保持部２１を設けるものについて説明したが、本発明はこれに限らず、三日月状、半月状等の形状に形成した保持部２１を塗布軸の先端部に設けても同様な効果が得られる。
【００２６】
なお、前記本発明の各実施の形態では押し出し、引き戻し機構２を備える容器本体３を用いるものについて説明したが、本発明はこれに限らず、引き戻し機構のない押し出し機構だけを備える容器本体を用いても、液状化粧料供給孔１６より突出した液状化粧料を使用時に凹部１７、１７Ａ、１７Ｂや保持リング２１に含ませてり保持させたりして、塗布面より脱落したりする不具合を効率よく防止することができる。
【産業上の利用可能性】
【００２７】
本発明は液状化粧料収納容器を製造する産業で利用される。
【図面の簡単な説明】
【００２８】
【図１】本発明を実施するための最良の第１の形態の縦断面図。
【図２】本発明を実施するための最良の第１の形態のキャップを外した平面図。
【図３】図２の３−３線に沿う拡大断面図。
【図４】本発明を実施するための最良の第１の形態の塗布軸の説明図。
【図５】本発明を実施するための最良の第１の形態の液状化粧料を突出させた説明図。
【図６】本発明を実施するための最良の第１の形態の液状化粧料を引き戻した状態の説明図。
【図７】本発明を実施するための第２の形態の縦断面図。
【図８】本発明を実施するための第２の形態の塗布軸の説明図。
【図９】図８の９−９線に沿う断面図。
【図１０】本発明を実施するための第３の形態の縦断面図。
【図１１】本発明を実施するための第３の形態の塗布軸の説明図。
【図１２】本発明を実施するための第４の形態の縦断面図。
【図１３】本発明を実施するための第４の形態の塗布軸の説明図。
【図１４】図１３の１４−１４線に沿う断面図。
【図１５】本発明を実施するための第５の形態の縦断面図。
【図１６】本発明を実施するための第５の形態の塗布軸の説明図。
【図１７】本発明を実施するための第６の形態の縦断面図。
【図１８】本発明を実施するための第６の形態の塗布軸の説明図。
【図１９】本発明を実施するための第７の形態の縦断面図。
【図２０】本発明を実施するための第７の形態の塗布軸の説明図。
【図２１】本発明を実施するための第８の形態の縦断面図。
【図２２】本発明を実施するための第８の形態の塗布軸の説明図。
【符号の説明】
【００２９】
１、１Ａ、１Ｂ、１Ｃ、１Ｄ、１Ｅ、１Ｆ、１Ｇ：液状化粧料収納容器、
２：押し出し、引き戻し機構、  ３：容器本体、
４、４Ａ：塗布面、
５、５Ａ、５Ｂ、５Ｃ、５Ｄ、５Ｅ、５Ｆ、５Ｇ：塗布軸、            
６：キャップ、                ７：収納室、
８：筒体、                    ９：回転筒、
１０：ねじ孔、                １１：ねじ筒、
１２：ねじ棒、                １３：ピストン、
１４：回り止め隔壁、          １５：塗布軸本体、
１６：液状化粧料供給孔、      １７、１７Ａ、１７Ｂ：凹部、
１８：弧状のやや窪み、        １９：先端部、
２０：連通溝、                ２１：保持リング。
【図１】
2008154657.tif 000003
【図２】
2008154657.tif 000004
【図３】
2008154657.tif 000005
【図４】
2008154657.tif 000006
【図５】
2008154657.tif 000007
【図６】
2008154657.tif 000008
【図７】
2008154657.tif 000009
【図８】
2008154657.tif 000010
【図９】
2008154657.tif 000011
【図１０】
2008154657.tif 000012
【図１１】
2008154657.tif 000013
【図１２】
2008154657.tif 000014
【図１３】
2008154657.tif 000015
【図１４】
2008154657.tif 000016
【図１５】
2008154657.tif 000017
【図１６】
2008154657.tif 000018
【図１７】
2008154657.tif 000019
【図１８】
2008154657.tif 000020
【図１９】
2008154657.tif 000021
【図２０】
2008154657.tif 000022
【図２１】
2008154657.tif 000023
【図２２】
2008154657.tif 000024